(57)【要約】【課題】本発明は楕円作成用コンパスを開示した。【解決手段】本発明は楕円作成用コンパスを公示し、本体を含み、前記本体の底端には左右対称な定点棒が回転可能に設置され、前記定点棒の底端には定点ブロックが回転可能に設置され、前記本体の中には左右対称な回転ブロックが設置され、前記回転ブロックの中には上棒が回転可能に設置され、前記上棒の中には下棒がスライド可能に設置され、前記下棒と前記上棒との間には復位ばねが弾性を持つように設置され、本発明はシンプルな構成と簡単な操作方法を有し、メンテナンスに便利であり、また、当該設備は体積が小さいため、携帯にも便利であり、さらに、作図の精度が保証され、精確に楕円の特性を表現でき、従って、当該設備には高い使用と普及価値がある。【選択図】図１
2020183095.tif 000002
【特許請求の範囲】
【請求項１】
正面視で、本体を含み、前記本体の底端には左右対称な定点棒が回転可能に設置され、前記定点棒の底端には定点ブロックが回転可能に設置され、前記本体の中には左右対称な回転ブロックが設置され、左側の前記定点棒と前記回転ブロックとを例として詳しく説明し、前記回転ブロックの中には上棒が回転可能に設置され、前記上棒の中には下棒がスライド可能に設置され、前記下棒と前記上棒との間には復位ばねが弾性を持つように設置され、前記下棒の底端には作図ブロックが回転可能に設置され、前記本体には垂直装置が設置され、前記垂直装置は前記定点ブロックの垂直状態を維持でき、前記上棒の中には平行装置が設置され、前記平行装置は作図ブロックと前記定点ブロックとの平行状態を維持でき、前記定点ブロックの中には制限チャンバが設置され、前記制限チャンバの中には糸巻装置が設置され、前記糸巻装置は前記作図ブロックの運動範囲を制限でき、前記本体の中には動力チャンバが設置され、前記動力チャンバの中には動力装置が設置され、前記動力装置は前記回転ブロックを回転させることでき、
前記動力装置は前記回転ブロックを通じて前記作図ブロックを連動させ、前記作図ブロックに前記糸巻装置が制限した範囲の中に回転させ、楕円を描かせることができることを特徴とする楕円作成用コンパス。
【請求項２】
前記動力装置は前記動力チャンバの中に設置された回転柄を含み、前記回転柄の底端にはリングギアが設置され、前記リングギアは前記動力チャンバの中に位置しており、前記動力チャンバの中に動力軸が設置され、前記動力軸の頂端には太陽歯車が設置され、前記太陽歯車は前記動力チャンバの中に位置しており、前記太陽歯車と前記リングギアとの間には遊星歯車が伝動可能に設置され、前記動力チャンバの底壁の中には作動チャンバが設置され、前記動力軸の底端には動力歯車が設置され、前記動力歯車は前記動力チャンバの中に位置しており、前記回転ブロックの内壁には環状ラックが設置され、前記環状ラックは前記作動チャンバの中に位置しており、前記環状ラックと前記動力歯車との間には伝動歯車が伝動可能に設置されていることを特徴とする請求項１に記載の楕円作成用コンパス。
【請求項３】
前記垂直装置は連結棒を含み、前記連結棒は前記本体と前記定点ブロックとにヒンジで連結され、左右両側の前記定点棒の頂端には互いに噛み合った同期ラックが設置され、前記同期ラックは左右両側の前記定点棒を同期的に動かせることができ、前記平行装置は前記上棒の中に設置された上傘歯車を含み、前記回転ブロックの中には駆動ラックが設置され、前記上棒の中には上チャンバが設置され、前記上チャンバの中には前記駆動ラックと噛み合った伝達歯車が設置され、前記上チャンバの中には駆動軸が設置され、前記駆動軸の後端には前記伝達歯車と噛み合った駆動歯車が設置され、前記駆動軸の前端には駆動傘歯車が設置され、前記上チャンバの中には上軸が設置され、前記上軸の頂端には上傘歯車が設置され、前記上傘歯車は前記上チャンバの中に位置しており、且つ前記駆動傘歯車と噛み合っており、前記作図ブロックの頂端には従動ラックが設置され、前記下棒の中には下チャンバが設置され、前記下チャンバの中には従動軸が設置され、前記従動軸の後端には前記従動ラックと噛み合った従動歯車が設置され、前記従動軸の前端には従動傘歯車が設置され、前記下チャンバの中には下軸が設置され、前記下軸の底端には下傘歯車が設置され、前記下傘歯車は前記下チャンバの中に位置しており、且つ前記従動傘歯車と噛み合っており、前記下軸と前記上軸とはスプラインによって連結され、前記上軸と前記下棒とはネジ山によって連結され、それにより、前記上棒と前記下棒との距離を変えられることを特徴とする請求項１に記載の楕円作成用コンパス。
【請求項４】
前記糸巻装置は糸収納チャンバを含み、前記糸収納チャンバは前記制限チャンバの頂壁の中に設置され、前記糸収納チャンバの中には定点軸が設置され、前記定点軸の外壁には前記糸収納チャンバの中に位置した糸巻輪が設置され、前記定点軸の外壁には前記糸収納チャンバの中に位置した回転ブロックが設置され、前記定点軸の底端には前記制限チャンバの中に位置した制限ブロックが設置され、前記作図ブロックの中には糸巻軸が回転可能に設置され、左側の前記糸収納チャンバの中の前記糸巻輪と右側の前記糸収納チャンバの中の前記回転ブロックとは紐によって連結され、それにより、前記作図ブロックの運動範囲を制限でき、前記制限チャンバの底壁の中にはスライド溝が設置され、前記スライド溝の中にはスライドブロックがスライド可能に設置され、前記スライドブロックと前記スライド溝の頂壁との間には付勢ばねが弾性を持つように設置され、前記制限チャンバの中には制限スリーブがスライド可能に設置され、前記制限スリーブは前記制限ブロックと接触でき、前記制限スリーブと前記スライドブロックとは伝動棒によって連結されていることを特徴とする請求項１に記載の楕円作成用コンパス。
【発明の詳細な説明】
【技術分野】
【０００１】
本発明は製図用文房具分野を取り上げ、具体的には楕円作成用コンパスである。
【背景技術】
【０００２】
社会の発展につれ、教育水準も段々上がっていく。授業をする時に、楕円を作成して学生に解説する場合は多々ある。しかし、既存の教具で楕円を作成するのには手間がかかり、また、精確に楕円の特性を表現することができない。さらに、それらの教具は携帯しにくいのである。従って、本発明は携帯に便利で、且つ楕円の特性をうまく表現できる楕円作成用コンパスを提供する。
【先行技術文献】
【特許文献】
【０００３】
【特許文献１】中国特許出願公開第１０９６９３４８２号明細書
【発明の概要】
【発明が解決しようとする課題】
【０００４】
本発明は楕円作成用コンパスを提供し、既存技術にある上記の欠点を解消することを目的とする。
【課題を解決するための手段】
【０００５】
本発明の楕円作成用コンパスは、本体を含み、前記本体の底端には左右対称な定点棒が回転可能に設置され、前記定点棒の底端には定点ブロックが回転可能に設置され、前記本体の中には左右対称な回転ブロックが設置され、左側の前記定点棒と前記回転ブロックとを例として詳しく説明し、前記回転ブロックの中には上棒が回転可能に設置され、前記上棒の中には下棒がスライド可能に設置され、前記下棒と前記上棒との間には復位ばねが弾性を持つように設置され、前記下棒の底端には作図ブロックが回転可能に設置され、前記本体には垂直装置が設置され、前記垂直装置は前記定点ブロックの垂直状態を維持でき、前記上棒の中には平行装置が設置され、前記平行装置は作図ブロックと前記定点ブロックとの平行状態を維持でき、前記定点ブロックの中には制限チャンバが設置され、前記制限チャンバの中には糸巻装置が設置され、前記糸巻装置は前記作図ブロックの運動範囲を制限でき、前記本体の中には動力チャンバが設置され、前記動力チャンバの中には動力装置が設置され、前記動力装置は前記回転ブロックを回転させることでき、
前記動力装置は前記回転ブロックを通じて前記作図ブロックを連動させ、前記作図ブロックに前記糸巻装置が制限した範囲の中に回転させ、楕円を描かせることができる。
【０００６】
優選的に、前記動力装置は前記動力チャンバの中に設置された回転柄を含み、前記回転柄の底端にはリングギアが設置され、前記リングギアは前記動力チャンバの中に位置しており、前記動力チャンバの中に動力軸が設置され、前記動力軸の頂端には太陽歯車が設置され、前記太陽歯車は前記動力チャンバの中に位置しており、前記太陽歯車と前記リングギアとの間には遊星歯車が伝動可能に設置され、前記動力チャンバの底壁の中には作動チャンバが設置され、前記動力軸の底端には動力歯車が設置され、前記動力歯車は前記動力チャンバの中に位置しており、前記回転ブロックの内壁には環状ラックが設置され、前記環状ラックは前記作動チャンバの中に位置しており、前記環状ラックと前記動力歯車との間には伝動歯車が伝動可能に設置され、
前記動力装置は前記回転ブロックを回転させ、それにより、前記作図ブロックを回転させ、楕円を描かせることができる。
【０００７】
優選的に、前記垂直装置は連結棒を含み、前記連結棒は前記本体と前記定点ブロックとにヒンジで連結され、左右両側の前記定点棒の頂端には互いに噛み合った同期ラックが設置され、前記同期ラックは左右両側の前記定点棒を同期的に動かせることができ、前記平行装置は前記上棒の中に設置された上傘歯車を含み、前記回転ブロックの中には駆動ラックが設置され、前記上棒の中には上チャンバが設置され、前記上チャンバの中には前記駆動ラックと噛み合った伝達歯車が設置され、前記上チャンバの中には駆動軸が設置され、前記駆動軸の後端には前記伝達歯車と噛み合った駆動歯車が設置され、前記駆動軸の前端には駆動傘歯車が設置され、前記上チャンバの中には上軸が設置され、前記上軸の頂端には上傘歯車が設置され、前記上傘歯車は前記上チャンバの中に位置しており、且つ前記駆動傘歯車と噛み合っており、前記作図ブロックの頂端には従動ラックが設置され、前記下棒の中には下チャンバが設置され、前記下チャンバの中には従動軸が設置され、前記従動軸の後端には前記従動ラックと噛み合った従動歯車が設置され、前記従動軸の前端には従動傘歯車が設置され、前記下チャンバの中には下軸が設置され、前記下軸の底端には下傘歯車が設置され、前記下傘歯車は前記下チャンバの中に位置しており、且つ前記従動傘歯車と噛み合っており、前記下軸と前記上軸とはスプラインによって連結され、前記上軸と前記下棒とはネジ山によって連結され、それにより、前記上棒と前記下棒との距離を変え、
前記垂直装置は前記定点ブロックと紙面との垂直状態を維持させることができ、前記平行装置は前記作図ブロックと前記定点ブロックとの平行状態を維持させることができ、作図に便利である。
【０００８】
優選的に、前記糸巻装置は糸収納チャンバを含み、前記糸収納チャンバは前記制限チャンバの頂壁の中に設置され、前記糸収納チャンバの中には定点軸が設置され、前記定点軸の外壁には前記糸収納チャンバの中に位置した糸巻輪が設置され、前記定点軸の外壁には前記糸収納チャンバの中に位置した回転ブロックが設置され、前記定点軸の底端には前記制限チャンバの中に位置した制限ブロックが設置され、前記作図ブロックの中には糸巻軸が回転可能に設置され、左側の前記糸収納チャンバの中の前記糸巻輪と右側の前記糸収納チャンバの中の前記回転ブロックとは紐によって連結され、それにより、前記作図ブロックの運動範囲を制限でき、前記制限チャンバの底壁の中にはスライド溝が設置され、前記スライド溝の中にはスライドブロックがスライド可能に設置され、前記スライドブロックと前記スライド溝の頂壁との間には付勢ばねが弾性を持つように設置され、前記制限チャンバの中には制限スリーブがスライド可能に設置され、前記制限スリーブは前記制限ブロックと接触でき、前記制限スリーブと前記スライドブロックとは伝動棒によって連結され、
前記糸巻装置は前記作図ブロックと左右両側の前記定点ブロックとの距離の和を一定値に維持させることができる。
【発明の効果】
【０００９】
本発明のメリットは：本発明はシンプルな構成と簡単な操作方法を有し、メンテナンスに便利であり、また、当該設備は体積が小さいため、携帯にも便利であり、さらに、作図の精度が保証され、精確に楕円の特性を表現でき、従って、当該設備には高い使用と普及価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の楕円作成用コンパスの全体構成略図
【図２】図２は図１におけるＡの構成略図
【図３】図３は図１におけるＢの構成略図
【図４】図４は図３におけるＣの構成略図
【発明を実施するための形態】
【００１２】
図１〜４が示したよう、本発明の楕円作成用コンパスは、本体１２を含み、前記本体１２の底端には左右対称な定点棒１６が回転可能に設置され、前記定点棒１６の底端には定点ブロック２０が回転可能に設置され、前記本体１２の中には左右対称な回転ブロック１３が設置され、左側の前記定点棒１６と前記回転ブロック１３とを例として詳しく説明し、前記回転ブロック１３の中には上棒１７が回転可能に設置され、前記上棒１７の中には下棒１８がスライド可能に設置され、前記下棒１８と前記上棒１７との間には復位ばね３０が弾性を持つように設置され、前記下棒１８の底端には作図ブロック１９が回転可能に設置され、前記本体１２には垂直装置１００が設置され、前記垂直装置１００は前記定点ブロック２０の垂直状態を維持でき、前記上棒１７の中には平行装置２００が設置され、前記平行装置２００は作図ブロック１９と前記定点ブロック２０との平行状態を維持でき、前記定点ブロック２０の中には制限チャンバ５２が設置され、前記制限チャンバ５２の中には糸巻装置３００が設置され、前記糸巻装置３００は前記作図ブロック１９の運動範囲を制限でき、前記本体１２の中には動力チャンバ２５が設置され、前記動力チャンバ２５の中には動力装置４００が設置され、前記動力装置４００は前記回転ブロック１３を回転させることでき、
前記動力装置４００は前記回転ブロック１３を通じて前記作図ブロック１９を連動させ、前記作図ブロック１９に前記糸巻装置３００が制限した範囲の中に回転させ、楕円を描かせることができる。
【００１３】
好ましくは、前記動力装置４００は前記動力チャンバ２５の中に設置された回転柄１１を含み、前記回転柄１１の底端にはリングギア２１が設置され、前記リングギア２１は前記動力チャンバ２５の中に位置しており、前記動力チャンバ２５の中に動力軸２４が設置され、前記動力軸２４の頂端には太陽歯車２３が設置され、前記太陽歯車２３は前記動力チャンバ２５の中に位置しており、前記太陽歯車２３と前記リングギア２１との間には遊星歯車２２が伝動可能に設置され、前記動力チャンバ２５の底壁の中には作動チャンバ２６が設置され、前記動力軸２４の底端には動力歯車２８が設置され、前記動力歯車２８は前記動力チャンバ２５の中に位置しており、前記回転ブロック１３の内壁には環状ラック２７が設置され、前記環状ラック２７は前記作動チャンバ２６の中に位置しており、前記環状ラック２７と前記動力歯車２８との間には伝動歯車９９が伝動可能に設置され、
前記動力装置４００は前記回転ブロック１３を回転させ、それにより、前記作図ブロック１９を回転させ、楕円を描かせることができる。
【００１４】
好ましくは、前記垂直装置１００は連結棒１５を含み、前記連結棒１５は前記本体１２と前記定点ブロック２０とにヒンジで連結され、左右両側の前記定点棒１６の頂端には互いに噛み合った同期ラック２９が設置され、前記同期ラック２９は左右両側の前記定点棒１６を同期的に動かせることができ、前記平行装置２００は前記上棒１７の中に設置された上傘歯車３２を含み、前記回転ブロック１３の中には駆動ラック３７が設置され、前記上棒１７の中には上チャンバ３３が設置され、前記上チャンバ３３の中には前記駆動ラック３７と噛み合った伝達歯車３８が設置され、前記上チャンバ３３の中には駆動軸３５が設置され、前記駆動軸３５の後端には前記伝達歯車３８と噛み合った駆動歯車３６が設置され、前記駆動軸３５の前端には駆動傘歯車３４が設置され、前記上チャンバ３３の中には上軸３１が設置され、前記上軸３１の頂端には上傘歯車３２が設置され、前記上傘歯車３２は前記上チャンバ３３の中に位置しており、且つ前記駆動傘歯車３４と噛み合っており、前記作図ブロック１９の頂端には従動ラック４６が設置され、前記下棒１８の中には下チャンバ４０が設置され、前記下チャンバ４０の中には従動軸４５が設置され、前記従動軸４５の後端には前記従動ラック４６と噛み合った従動歯車４２が設置され、前記従動軸４５の前端には従動傘歯車４３が設置され、前記下チャンバ４０の中には下軸３９が設置され、前記下軸３９の底端には下傘歯車４１が設置され、前記下傘歯車４１は前記下チャンバ４０の中に位置しており、且つ前記従動傘歯車４３と噛み合っており、前記下軸３９と前記上軸３１とはスプラインによって連結され、前記上軸３１と前記下棒１８とはネジ山によって連結され、それにより、前記上棒１７と前記下棒１８との距離を変え、
前記垂直装置１００は前記定点ブロック２０と紙面との垂直状態を維持させることができ、前記平行装置２００は前記作図ブロック１９と前記定点ブロック２０との平行状態を維持させることができ、作図に便利である。
【００１５】
好ましくは、前記糸巻装置３００は糸収納チャンバ５４を含み、前記糸収納チャンバ５４は前記制限チャンバ５２の頂壁の中に設置され、前記糸収納チャンバ５４の中には定点軸４８が設置され、前記定点軸４８の外壁には前記糸収納チャンバ５４の中に位置した糸巻輪５０が設置され、前記定点軸４８の外壁には前記糸収納チャンバ５４の中に位置した回転ブロック４９が設置され、前記定点軸４８の底端には前記制限チャンバ５２の中に位置した制限ブロック５１が設置され、前記作図ブロック１９の中には糸巻軸４７が回転可能に設置され、左側の前記糸収納チャンバ５４の中の前記糸巻輪５０と右側の前記糸収納チャンバ５４の中の前記回転ブロック４９とは紐５９によって連結され、それにより、前記作図ブロック１９の運動範囲を制限でき、前記制限チャンバ５２の底壁の中にはスライド溝５７が設置され、前記スライド溝５７の中にはスライドブロック５３がスライド可能に設置され、前記スライドブロック５３と前記スライド溝５７の頂壁との間には付勢ばね５８が弾性を持つように設置され、前記制限チャンバ５２の中には制限スリーブ５５がスライド可能に設置され、前記制限スリーブ５５は前記制限ブロック５１と接触でき、前記制限スリーブ５５と前記スライドブロック５３とは伝動棒５６によって連結され、
前記糸巻装置３００は前記作図ブロック１９と左右両側の前記定点ブロック２０との距離の和を一定値に維持させることができる。  
【００１６】
当装置を利用する時に、利用者は手で定点棒１６を回し、楕円の両定点の距離を定め、また、手で上棒１７に駆動軸３５の中軸線を中心に回転させ、それにより、駆動ラック３７は伝達歯車３８と、駆動歯車３６と、駆動軸３５と、駆動傘歯車３４と、上傘歯車３２とによって上軸３１の回転を連動させ、そして、下棒１８を下へスライド連動させ、同時に、上軸３１は下軸３９と、下傘歯車４１と、従動傘歯車４３と、従動軸４５と、従動歯車４２と、従動ラック４６とによって作図ブロック１９の回転を連動させ、作図ブロック１９と定点ブロック２０とを平行状態に維持させ、そして、当該コンパスを紙面と垂直するように置き、コンパスを下に押し、それにより、スライドブロック５３は上にスライドし、且つ伝動棒５６によって制限スリーブ５５を上にスライド連動させ、制限スリーブ５５と制限ブロック５１とが接触し、定点軸４８の回転を制限し、利用者が手で回転柄１１を回し、リングギア２１と、遊星歯車２２と、太陽歯車２３と、動力軸２４と、動力歯車２８と、伝動歯車９９と、環状ラック２７とによって回転ブロック１３の回転を連動させ、それにより、上棒１７と下棒１８とによって作図ブロック１９の回転を連動させ、回転ブロック１３が百八十度回転した後、左右両側の前記作図ブロック１９は楕円作成を完了する。
【００１７】
本発明のメリットは：本発明はシンプルな構成と簡単な操作方法を有し、メンテナンスに便利であり、また、当該設備は体積が小さいため、携帯にも便利であり、さらに、作図の精度が保証され、精確に楕円の特性を表現でき、従って、当該設備には高い使用と普及価値がある。
【００１８】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020183095.tif 000003
【図２】
2020183095.tif 000004
【図３】
2020183095.tif 000005
【図４】
2020183095.tif 000006
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の底端には左右対称な定点棒が回転可能に設置され、前記定点棒の底端には定点ブロックが回転可能に設置され、前記本体の中には左右対称な回転ブロックが設置され、前記回転ブロックの中には上棒が回転可能に設置され、前記上棒の中には下棒がスライド可能に設置され、前記下棒と前記上棒との間には復位ばねが弾性を持つように設置され、前記下棒の底端には作図ブロックが回転可能に設置され、前記本体には垂直装置が設置され、前記垂直装置は前記定点ブロックの垂直状態を維持でき、前記上棒の中には平行装置が設置され、前記平行装置は作図ブロックと前記定点ブロックとの平行状態を維持でき、前記定点ブロックの中には制限チャンバが設置され、前記制限チャンバの中には糸巻装置が設置され、前記糸巻装置は前記作図ブロックの運動範囲を制限でき、前記本体の中には動力チャンバが設置され、前記動力チャンバの中には動力装置が設置され、前記動力装置は前記回転ブロックを回転させることでき、 
前記動力装置は前記回転ブロックを通じて前記作図ブロックを連動させ、前記作図ブロックに前記糸巻装置が制限した範囲の中に回転させ、楕円を描かせることができ、
前記動力装置は前記動力チャンバの中に設置された回転柄を含み、前記回転柄の底端にはリングギアが設置され、前記リングギアは前記動力チャンバの中に位置しており、前記動力チャンバの中に動力軸が設置され、前記動力軸の頂端には太陽歯車が設置され、前記太陽歯車は前記動力チャンバの中に位置しており、前記太陽歯車と前記リングギアとの間には遊星歯車が伝動可能に設置され、前記動力チャンバの底壁の中には作動チャンバが設置され、前記動力軸の底端には動力歯車が設置され、前記動力歯車は前記動力チャンバの中に位置しており、前記回転ブロックの内壁には環状ラックが設置され、前記環状ラックは前記作動チャンバの中に位置しており、前記環状ラックと前記動力歯車との間には伝動歯車が伝動可能に設置されており、
前記垂直装置は連結棒を含み、前記連結棒は前記本体と前記定点ブロックとにヒンジで連結され、左右両側の前記定点棒の頂端には互いに噛み合った同期ラックが設置され、前記同期ラックは左右両側の前記定点棒を同期的に動かせることができ、前記平行装置は前記上棒の中に設置された上傘歯車を含み、前記回転ブロックの中には駆動ラックが設置され、前記上棒の中には上チャンバが設置され、前記上チャンバの中には前記駆動ラックと噛み合った伝達歯車が設置され、前記上チャンバの中には駆動軸が設置され、前記駆動軸の後端には前記伝達歯車と噛み合った駆動歯車が設置され、前記駆動軸の前端には駆動傘歯車が設置され、前記上チャンバの中には上軸が設置され、前記上軸の頂端には上傘歯車が設置され、前記上傘歯車は前記上チャンバの中に位置しており、且つ前記駆動傘歯車と噛み合っており、前記作図ブロックの頂端には従動ラックが設置され、前記下棒の中には下チャンバが設置され、前記下チャンバの中には従動軸が設置され、前記従動軸の後端には前記従動ラックと噛み合った従動歯車が設置され、前記従動軸の前端には従動傘歯車が設置され、前記下チャンバの中には下軸が設置され、前記下軸の底端には下傘歯車が設置され、前記下傘歯車は前記下チャンバの中に位置しており、且つ前記従動傘歯車と噛み合っており、前記下軸と前記上軸とはスプラインによって連結され、前記上軸と前記下棒とはネジ山によって連結され、それにより、前記上棒と前記下棒との距離を変えられ、
前記糸巻装置は糸収納チャンバを含み、前記糸収納チャンバは前記制限チャンバの頂壁の中に設置され、前記糸収納チャンバの中には定点軸が設置され、前記定点軸の外壁には前記糸収納チャンバの中に位置した糸巻輪が設置され、前記定点軸の外壁には前記糸収納チャンバの中に位置した回転ブロックが設置され、前記定点軸の底端には前記制限チャンバの中に位置した制限ブロックが設置され、前記作図ブロックの中には糸巻軸が回転可能に設置され、左側の前記糸収納チャンバの中の前記糸巻輪と右側の前記糸収納チャンバの中の前記回転ブロックとは紐によって連結され、それにより、前記作図ブロックの運動範囲を制限でき、前記制限チャンバの底壁の中にはスライド溝が設置され、前記スライド溝の中にはスライドブロックがスライド可能に設置され、前記スライドブロックと前記スライド溝の頂壁との間には付勢ばねが弾性を持つように設置され、前記制限チャンバの中には制限スリーブがスライド可能に設置され、前記制限スリーブは前記制限ブロックと接触でき、前記制限スリーブと前記スライドブロックとは伝動棒によって連結されていることを特徴とする楕円作成用コンパス。
【手続補正２】
【補正対象書類名】明細書
【補正対象項目名】全文
【補正方法】変更
【補正の内容】
【発明の詳細な説明】
【技術分野】
【０００１】
本発明は製図用文房具分野を取り上げ、具体的には楕円作成用コンパスである。 
【背景技術】
【０００２】
社会の発展につれ、教育水準も段々上がっていく。授業をする時に、楕円を作成して学生に解説する場合は多々ある。しかし、既存の教具で楕円を作成するのには手間がかかり、また、精確に楕円の特性を表現することができない。さらに、それらの教具は携帯しにくいのである。従って、本発明は携帯に便利で、且つ楕円の特性をうまく表現できる楕円作成用コンパスを提供する。 
【先行技術文献】
【特許文献】
【０００３】
【特許文献１】中国特許出願公開第１０９６９３４８２号明細書
【発明の概要】
【発明が解決しようとする課題】
【０００４】
本発明は楕円作成用コンパスを提供し、既存技術にある上記の欠点を解消することを目的とする。 
【課題を解決するための手段】
【０００５】
本発明の楕円作成用コンパスは、本体を含み、前記本体の底端には左右対称な定点棒が回転可能に設置され、前記定点棒の底端には定点ブロックが回転可能に設置され、前記本体の中には左右対称な回転ブロックが設置され、前記回転ブロックの中には上棒が回転可能に設置され、前記上棒の中には下棒がスライド可能に設置され、前記下棒と前記上棒との間には復位ばねが弾性を持つように設置され、前記下棒の底端には作図ブロックが回転可能に設置され、前記本体には垂直装置が設置され、前記垂直装置は前記定点ブロックの垂直状態を維持でき、前記上棒の中には平行装置が設置され、前記平行装置は作図ブロックと前記定点ブロックとの平行状態を維持でき、前記定点ブロックの中には制限チャンバが設置され、前記制限チャンバの中には糸巻装置が設置され、前記糸巻装置は前記作図ブロックの運動範囲を制限でき、前記本体の中には動力チャンバが設置され、前記動力チャンバの中には動力装置が設置され、前記動力装置は前記回転ブロックを回転させることでき、 
前記動力装置は前記回転ブロックを通じて前記作図ブロックを連動させ、前記作図ブロックに前記糸巻装置が制限した範囲の中に回転させ、楕円を描かせることができる。 
【０００６】
優選的に、前記動力装置は前記動力チャンバの中に設置された回転柄を含み、前記回転柄の底端にはリングギアが設置され、前記リングギアは前記動力チャンバの中に位置しており、前記動力チャンバの中に動力軸が設置され、前記動力軸の頂端には太陽歯車が設置され、前記太陽歯車は前記動力チャンバの中に位置しており、前記太陽歯車と前記リングギアとの間には遊星歯車が伝動可能に設置され、前記動力チャンバの底壁の中には作動チャンバが設置され、前記動力軸の底端には動力歯車が設置され、前記動力歯車は前記動力チャンバの中に位置しており、前記回転ブロックの内壁には環状ラックが設置され、前記環状ラックは前記作動チャンバの中に位置しており、前記環状ラックと前記動力歯車との間には伝動歯車が伝動可能に設置され、 
前記動力装置は前記回転ブロックを回転させ、それにより、前記作図ブロックを回転させ、楕円を描かせることができる。 
【０００７】
優選的に、前記垂直装置は連結棒を含み、前記連結棒は前記本体と前記定点ブロックとにヒンジで連結され、左右両側の前記定点棒の頂端には互いに噛み合った同期ラックが設置され、前記同期ラックは左右両側の前記定点棒を同期的に動かせることができ、前記平行装置は前記上棒の中に設置された上傘歯車を含み、前記回転ブロックの中には駆動ラックが設置され、前記上棒の中には上チャンバが設置され、前記上チャンバの中には前記駆動ラックと噛み合った伝達歯車が設置され、前記上チャンバの中には駆動軸が設置され、前記駆動軸の後端には前記伝達歯車と噛み合った駆動歯車が設置され、前記駆動軸の前端には駆動傘歯車が設置され、前記上チャンバの中には上軸が設置され、前記上軸の頂端には上傘歯車が設置され、前記上傘歯車は前記上チャンバの中に位置しており、且つ前記駆動傘歯車と噛み合っており、前記作図ブロックの頂端には従動ラックが設置され、前記下棒の中には下チャンバが設置され、前記下チャンバの中には従動軸が設置され、前記従動軸の後端には前記従動ラックと噛み合った従動歯車が設置され、前記従動軸の前端には従動傘歯車が設置され、前記下チャンバの中には下軸が設置され、前記下軸の底端には下傘歯車が設置され、前記下傘歯車は前記下チャンバの中に位置しており、且つ前記従動傘歯車と噛み合っており、前記下軸と前記上軸とはスプラインによって連結され、前記上軸と前記下棒とはネジ山によって連結され、それにより、前記上棒と前記下棒との距離を変え、
前記垂直装置は前記定点ブロックと紙面との垂直状態を維持させることができ、前記平行装置は前記作図ブロックと前記定点ブロックとの平行状態を維持させることができ、作図に便利である。 
【０００８】
優選的に、前記糸巻装置は糸収納チャンバを含み、前記糸収納チャンバは前記制限チャンバの頂壁の中に設置され、前記糸収納チャンバの中には定点軸が設置され、前記定点軸の外壁には前記糸収納チャンバの中に位置した糸巻輪が設置され、前記定点軸の外壁には前記糸収納チャンバの中に位置した回転ブロックが設置され、前記定点軸の底端には前記制限チャンバの中に位置した制限ブロックが設置され、前記作図ブロックの中には糸巻軸が回転可能に設置され、左側の前記糸収納チャンバの中の前記糸巻輪と右側の前記糸収納チャンバの中の前記回転ブロックとは紐によって連結され、それにより、前記作図ブロックの運動範囲を制限でき、前記制限チャンバの底壁の中にはスライド溝が設置され、前記スライド溝の中にはスライドブロックがスライド可能に設置され、前記スライドブロックと前記スライド溝の頂壁との間には付勢ばねが弾性を持つように設置され、前記制限チャンバの中には制限スリーブがスライド可能に設置され、前記制限スリーブは前記制限ブロックと接触でき、前記制限スリーブと前記スライドブロックとは伝動棒によって連結され、 
前記糸巻装置は前記作図ブロックと左右両側の前記定点ブロックとの距離の和を一定値に維持させることができる。 
【発明の効果】
【０００９】
本発明のメリットは：本発明はシンプルな構成と簡単な操作方法を有し、メンテナンスに便利であり、また、当該設備は体積が小さいため、携帯にも便利であり、さらに、作図の精度が保証され、精確に楕円の特性を表現でき、従って、当該設備には高い使用と普及価値がある。 
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１１】
【図１】図１は本発明の楕円作成用コンパスの全体構成略図
【図２】図２は図１におけるＡの構成略図
【図３】図３は図１におけるＢの構成略図
【図４】図４は図３におけるＣの構成略図
【発明を実施するための形態】
【００１２】
図１〜４が示したよう、本発明の楕円作成用コンパスは、本体１２を含み、前記本体１２の底端には左右対称な定点棒１６が回転可能に設置され、前記定点棒１６の底端には定点ブロック２０が回転可能に設置され、前記本体１２の中には左右対称な回転ブロック１３が設置され、前記回転ブロック１３の中には上棒１７が回転可能に設置され、前記上棒１７の中には下棒１８がスライド可能に設置され、前記下棒１８と前記上棒１７との間には復位ばね３０が弾性を持つように設置され、前記下棒１８の底端には作図ブロック１９が回転可能に設置され、前記本体１２には垂直装置１００が設置され、前記垂直装置１００は前記定点ブロック２０の垂直状態を維持でき、前記上棒１７の中には平行装置２００が設置され、前記平行装置２００は作図ブロック１９と前記定点ブロック２０との平行状態を維持でき、前記定点ブロック２０の中には制限チャンバ５２が設置され、前記制限チャンバ５２の中には糸巻装置３００が設置され、前記糸巻装置３００は前記作図ブロック１９の運動範囲を制限でき、前記本体１２の中には動力チャンバ２５が設置され、前記動力チャンバ２５の中には動力装置４００が設置され、前記動力装置４００は前記回転ブロック１３を回転させることでき、 
前記動力装置４００は前記回転ブロック１３を通じて前記作図ブロック１９を連動させ、前記作図ブロック１９に前記糸巻装置３００が制限した範囲の中に回転させ、楕円を描かせることができる。 
【００１３】
好ましくは、前記動力装置４００は前記動力チャンバ２５の中に設置された回転柄１１を含み、前記回転柄１１の底端にはリングギア２１が設置され、前記リングギア２１は前記動力チャンバ２５の中に位置しており、前記動力チャンバ２５の中に動力軸２４が設置され、前記動力軸２４の頂端には太陽歯車２３が設置され、前記太陽歯車２３は前記動力チャンバ２５の中に位置しており、前記太陽歯車２３と前記リングギア２１との間には遊星歯車２２が伝動可能に設置され、前記動力チャンバ２５の底壁の中には作動チャンバ２６が設置され、前記動力軸２４の底端には動力歯車２８が設置され、前記動力歯車２８は前記動力チャンバ２５の中に位置しており、前記回転ブロック１３の内壁には環状ラック２７が設置され、前記環状ラック２７は前記作動チャンバ２６の中に位置しており、前記環状ラック２７と前記動力歯車２８との間には伝動歯車９９が伝動可能に設置され、 
前記動力装置４００は前記回転ブロック１３を回転させ、それにより、前記作図ブロック１９を回転させ、楕円を描かせることができる。 
【００１４】
好ましくは、前記垂直装置１００は連結棒１５を含み、前記連結棒１５は前記本体１２と前記定点ブロック２０とにヒンジで連結され、左右両側の前記定点棒１６の頂端には互いに噛み合った同期ラック２９が設置され、前記同期ラック２９は左右両側の前記定点棒１６を同期的に動かせることができ、前記平行装置２００は前記上棒１７の中に設置された上傘歯車３２を含み、前記回転ブロック１３の中には駆動ラック３７が設置され、前記上棒１７の中には上チャンバ３３が設置され、前記上チャンバ３３の中には前記駆動ラック３７と噛み合った伝達歯車３８が設置され、前記上チャンバ３３の中には駆動軸３５が設置され、前記駆動軸３５の後端には前記伝達歯車３８と噛み合った駆動歯車３６が設置され、前記駆動軸３５の前端には駆動傘歯車３４が設置され、前記上チャンバ３３の中には上軸３１が設置され、前記上軸３１の頂端には上傘歯車３２が設置され、前記上傘歯車３２は前記上チャンバ３３の中に位置しており、且つ前記駆動傘歯車３４と噛み合っており、前記作図ブロック１９の頂端には従動ラック４６が設置され、前記下棒１８の中には下チャンバ４０が設置され、前記下チャンバ４０の中には従動軸４５が設置され、前記従動軸４５の後端には前記従動ラック４６と噛み合った従動歯車４２が設置され、前記従動軸４５の前端には従動傘歯車４３が設置され、前記下チャンバ４０の中には下軸３９が設置され、前記下軸３９の底端には下傘歯車４１が設置され、前記下傘歯車４１は前記下チャンバ４０の中に位置しており、且つ前記従動傘歯車４３と噛み合っており、前記下軸３９と前記上軸３１とはスプラインによって連結され、前記上軸３１と前記下棒１８とはネジ山によって連結され、それにより、前記上棒１７と前記下棒１８との距離を変え、 
前記垂直装置１００は前記定点ブロック２０と紙面との垂直状態を維持させることができ、前記平行装置２００は前記作図ブロック１９と前記定点ブロック２０との平行状態を維持させることができ、作図に便利である。 
【００１５】
好ましくは、前記糸巻装置３００は糸収納チャンバ５４を含み、前記糸収納チャンバ５４は前記制限チャンバ５２の頂壁の中に設置され、前記糸収納チャンバ５４の中には定点軸４８が設置され、前記定点軸４８の外壁には前記糸収納チャンバ５４の中に位置した糸巻輪５０が設置され、前記定点軸４８の外壁には前記糸収納チャンバ５４の中に位置した回転ブロック４９が設置され、前記定点軸４８の底端には前記制限チャンバ５２の中に位置した制限ブロック５１が設置され、前記作図ブロック１９の中には糸巻軸４７が回転可能に設置され、左側の前記糸収納チャンバ５４の中の前記糸巻輪５０と右側の前記糸収納チャンバ５４の中の前記回転ブロック４９とは紐５９によって連結され、それにより、前記作図ブロック１９の運動範囲を制限でき、前記制限チャンバ５２の底壁の中にはスライド溝５７が設置され、前記スライド溝５７の中にはスライドブロック５３がスライド可能に設置され、前記スライドブロック５３と前記スライド溝５７の頂壁との間には付勢ばね５８が弾性を持つように設置され、前記制限チャンバ５２の中には制限スリーブ５５がスライド可能に設置され、前記制限スリーブ５５は前記制限ブロック５１と接触でき、前記制限スリーブ５５と前記スライドブロック５３とは伝動棒５６によって連結され、 
前記糸巻装置３００は前記作図ブロック１９と左右両側の前記定点ブロック２０との距離の和を一定値に維持させることができる。 
【００１６】
当装置を利用する時に、利用者は手で定点棒１６を回し、楕円の両定点の距離を定め、また、手で上棒１７に駆動軸３５の中軸線を中心に回転させ、それにより、駆動ラック３７は伝達歯車３８と、駆動歯車３６と、駆動軸３５と、駆動傘歯車３４と、上傘歯車３２とによって上軸３１の回転を連動させ、そして、下棒１８を下へスライド連動させ、同時に、上軸３１は下軸３９と、下傘歯車４１と、従動傘歯車４３と、従動軸４５と、従動歯車４２と、従動ラック４６とによって作図ブロック１９の回転を連動させ、作図ブロック１９と定点ブロック２０とを平行状態に維持させ、そして、当該コンパスを紙面と垂直するように置き、コンパスを下に押し、それにより、スライドブロック５３は上にスライドし、且つ伝動棒５６によって制限スリーブ５５を上にスライド連動させ、制限スリーブ５５と制限ブロック５１とが接触し、定点軸４８の回転を制限し、利用者が手で回転柄１１を回し、リングギア２１と、遊星歯車２２と、太陽歯車２３と、動力軸２４と、動力歯車２８と、伝動歯車９９と、環状ラック２７とによって回転ブロック１３の回転を連動させ、それにより、上棒１７と下棒１８とによって作図ブロック１９の回転を連動させ、回転ブロック１３が百八十度回転した後、左右両側の前記作図ブロック１９は楕円作成を完了する。
【００１７】
本発明のメリットは：本発明はシンプルな構成と簡単な操作方法を有し、メンテナンスに便利であり、また、当該設備は体積が小さいため、携帯にも便利であり、さらに、作図の精度が保証され、精確に楕円の特性を表現でき、従って、当該設備には高い使用と普及価値がある。 
【００１８】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。